(57)【要約】【課題】排水筒が設けられた雨樋集水器であって、竪樋との接続のために設けられる連結リングとの接続が、風雨によって受ける衝撃や樋部への積雪などの重量により、容易に外れない雨樋集水器を提供する。【解決手段】上方に雨樋受口が設けられ、下方に排水筒１２ｂが設けられた雨樋集水器であって、竪樋との接続のために介設される連結リング１３内の係合突起部１３ａと嵌合い接合する、２段以上の係合リブ１２ａを有してなることを特徴とする集水器。【選択図】  図３
2005002649.tif 000002
【特許請求の範囲】
【請求項１】
上方に雨樋受口が設けられ、下方に排水筒が設けられた雨樋集水器であって、竪樋との接続のために介設される連結リング内の係合突起部と嵌合い接合する２段以上の係合リブを有してなることを特徴とする雨樋集水器。
【発明の詳細な説明】
【０００１】
【発明の属する技術分野】
本発明は、雨樋集水器に関し、特に、連結リングが外れにくい雨樋集水器に関する。
【０００２】
【従来の技術】
従来、雨樋の集水器に関しては、軒樋からの雨水を集めるための雨樋集水器本体と、この雨樋集水器本体の下方に接続された排水筒と、この排水筒を雨樋集水器本体に外周から係合する連結リングから構成されている。
この理由は、エルボや竪樋のような排水管を雨樋集水器に接続するには、現場における接続作業の簡易化を目的として雨樋集水器下端に延出する排水筒の下端に一部が切欠かれた内フランジを形成し、排水管の上端外周に設けた突起を前記切欠に通して排水筒内に進めてから排水管を回転させて内フランジ上、言いかえれば係合リブに引掛ける連結方式が施工上望ましい。
【０００３】
しかしながら、このような切欠を有する内フランジを備えた排水筒を集水管本体の成形時に一体成形することは成形上困難であり、そのため、上記の上端内側に設けた突起、及び切欠かれた内フランジを備えた連結リングを排水筒と別に成形し、この連結リングを排水筒に連結すること方法が取られている。この時、連結リングと排水筒との連結が確実である必要がある。このため、いくつかの提案がなされている（例えば、特許文献１、２参照）。
【０００４】
すなわち、特許文献１に記載の発明は、連結筒（本発明では、排水筒と呼んでいる。）の下端外周の全周にわたる外フランジ（本発明では、係合リブと呼んでいる。）が延出すると共に外フランジ上方における連結筒の外周面に宍起が形成され、上記連結リングの上端内周に突起と嵌合する凹所を備えた突台（本発明では、連結リング内の係合突起と呼んでいる。）が形成され、突台が上記外フランジの上面に載置されて連結リングが連結筒に連結されると共に突台の凹所に連結筒の突起が嵌合して連結リングの回転止めがなされる雨樋集水器であって、上記突台は凹所を有する内周部分と連結リングの周壁との間に空所を形成する形で連結リングの周壁より一体に延出して突台の内周部分に半径方向外方に向って弾性的に変姓する弾性変形能が付与され、上気起突起と凹所との嵌合がこの弾性を利用して行なわれる雨樋集水器である。
【０００５】
また、特許文献２に記載の発明は、排水筒、この外周に周設された係合片（本発明では、係合リブと呼んでいる。）を主要部とする雨樋集水器本体と、筒状であってその軸方向端部のそれぞれから内周に向かって突出した排水筒用の突片（本発明では、連結リング内の係合突起と呼んでいる。）と接続筒用のフックを有する係合リング（本発明では、連結リング内の係合突起と呼んでいる。）筒状であってその軸方向一端部から外周に向けて突出された突起を有する接続筒を備えた雨樋集水器に関するものである。
【０００６】
【発明が解決しようとする課題】
上記特許文献１に記載の雨樋集水器の場合、排水筒と連結リングとの係合は、該排水筒の外周に設けた係合リブと該連結リング内周に設けられた突起を係合させることにより達成されるが、風雨によって受ける衝撃や樋部への積雪などの重量により、竪樋の中心軸に対して屈折する方向に応力が掛かり、上記突起が上記係合リブを乗り越えてしまい、これにより上記排水筒が上記連結リングから外れてしまうという問題があった。
【０００７】
また、特許文献２に記載の雨樋集水器の場合も、風雨によって受ける衝撃や樋部への積雪などの重量により、竪樋の中心軸に対して屈折する方向に応力が掛かり、上記突起が上記係合リブを乗り越えてしまい、これにより上記排水筒が上記連結リングから外れてしまうという問題が残されている。
【０００８】
【特許文献１】
実公昭６１−１６３４０号公報（第１頁〜第５頁）
【特許文献１】
特開平１１−２９３８６８号公報（第１頁〜第３頁）
【０００９】
したがって、本発明の目的は、排水筒が設けられた雨樋集水器であって、竪樋との接続のために設けられる連結リングとの接続が、風雨によって受ける衝撃や樋部への積雪などの重量により、容易に外れることがない雨樋集水器を提供することにある。
【００１０】
【課題を解決するための手段】
本発明者は、上記に鑑み鋭意検討を行った結果、連結リング内の係合突起部と嵌合い接合する、上記排水筒の係合リブの安全性を増加させることにより、上記課題を解決できることを見いだし、本発明を完成した。
【００１１】
すなわち、請求項１記載の本発明は、上方に雨樋受口が設けられ、下方に排水筒が設けられた雨樋集水器であって、竪樋との接続のために介設される連結リング内の係合突起部と嵌合い接合する、２段以上の係合リブを有してなる雨樋集水器である。
【００１２】
本発明において、雨樋集水器の材質としては、特に限定されるものではないが、例えば、硬質塩化ビニル樹脂、ポリエチレン、ポリプロピレン、ポリカーボネイトのような合成樹脂の他、ポリフェニレンサルファイドのようなエンジニアリングプラスチック、又は、鉄、ステンレス、銅、アルミニュウムのような金属を単独に使用してもよく、或いは、鉄等の金属製芯材の両側に硬質塩化ビニル樹脂の被覆層を設ける等、これらの材質を適宜組合わせて使用してもよい。
尚、芯材は金属の板或いは網状体でもよく、金属の他に繊維強化複合シート等も使用できる。
【００１３】
この繊維強化複合シートとしては、ガラス繊維、カーボン繊維、アルミナ繊維、アラミド繊維等の単独もしくはこれらを組み合わせたロービング状の連続繊維、不織布、織布、マット、ネット等の加工物等に樹脂が含浸成形されたものが使用でき、更にこれらを組合わせた多層構造とすることもできる。
【００１４】
雨樋集水器の本体の下方に設けられた排水筒の係合リブは、雨樋集水器を一体成形してもよく、円筒形に成形した排水筒に、係合リブが設けられている円筒の成形品を別成形して、接着加工など材料に合わせて実質一体と見なされる様に加工してもよい。係合リブは、２段以上であり、係合の安全を上げるためにそれ以上の数を設けてもよい。係合リブには、周方向の一部が連結リングの係合突起部が嵌合いをする時に、通過可能なように切り欠かれている。雨樋集水器の本体部は金属である場合、プレス加工や、プラスチックである場合、射出成形法や繊維強化複合のワインディング法によって成形される。係合リブが設けられている円筒の成形品を別成形する場合は、本体部と同様の成形法が適用できる。
【００１５】
【発明の実施の形態】
以下、本発明の実施の形態を図面を参照にして説明する。
次に、本発明の実施例を図面を参照しながら説明する。
（実施例１）
図１は本発明の雨樋集水器の一例を示す斜視図である。図１において、１は本発明の雨樋集水器、１１は本発明の雨樋集水器１の本体部１２の上方左右に設けられた雨樋受口、１３は本体部１２の下方に接続して設けられた連結リング１３である。
【００１６】
図２は、本発明の雨樋集水器の要部拡大断面図である。雨樋集水器の本体１２の下方には係合リブ１２ａを持つ、排水筒１２ｂが設けられている。係合リブ１２ａは、この場合２段であり、筒状成形品として成形されたものを係合リブ１２ａに接着加工されている。係合リブ１２ａは周方向の一部が連結リング１３の係合突起部１３ａが嵌合いをする時に、通過可能なように切り欠かれている。雨樋集水器１の本体部は硬質塩化ビニル樹脂により射出成形法によって一体に成形される。
【００１７】
図３は、図２に示す本発明の雨樋集水器に連結リング嵌合い接合された要部拡大断面図を示す。また、図４は、図３に示す本発明雨樋集水器の２段目の係合リブに連結リングが嵌合い接合された要部拡大断面図を示す。
連結リング１３の係合突起部１３ａは、排水筒１２ｂの係合リブ１２ａに嵌合いをする時には、上段の係合リブ１２ａに係合される。
【００１８】
図４は、風雨によって受ける衝撃や樋部への積雪などの重量により上記突起が上記の上段係合リブを乗り越えてしまった場合である。しかし、連結リング１３の係合突起部１３ａは、排水筒１２ｂの２段目の係合リブ１２ａに係合され、これにより上記排水筒が上記連結リングから外れてしまうということはない。
【００１９】
（比較例１）
図５は、従来の雨樋集水器の要部拡大断面図である。雨樋集水器の本体Ａ１２の下方には係合リブＡ１２ａを持つ、排水筒が設けられている。係合リブＡ１２ａは、１段しかない。
図６は、従来の雨樋集水器に連結リングが嵌合い接合された要部拡大断面図である。連結リング内の係合突起部Ａ１３ａは、係合リブＡ１２ａに係合されている。しかし、風雨によって受ける衝撃や樋部への積雪などの重量が加わる場合、上記突起Ａ１３ａが上記係合リブＡ１２ａを乗り越えてしまう可能性がある。
しかも、この状態になると、雨樋集水器から連結リングが外れてしまう。
【００２０】
図７は、従来の雨樋集水器から連結リングが積雪の重量により嵌合い接合がはずれつつある施行状態を示す図である。
家屋Ａ４の屋根Ａ５に積雪Ａ６があると、積雪Ａ６は、雨樋Ａ２に圧し掛かり、この圧力で雨樋集水器Ａ１の排水筒は変形し、上記突起Ａ１３ａが上記係合リブＡ１２ａを乗り越えてしまった状態となる。係合リブＡ１２ａは１段しかないので、雨樋集水器から連結リングが外れてしまう状態となる。
【００２１】
以上、本発明の実施例を図により説明したが、本発明の具体的な構成は、この実施例に限定されるものではなく、本発明の要旨を逸脱しない範囲の設計変更等があっても本発明に含まれる。
【００２２】
例えば、図に示す実施例においては、雨樋受口は左右に１個ずつ合計２個設けられているが、雨樋受口は１個でもよく、３個以上設けられていてもよい。
【００２３】
【発明の効果】
本発明は、上記のとおり構成されており、上方に雨樋受口が設けられ、下方に排水筒が設けられた雨樋集水器であって、竪樋との接続のために介設される連結リング内の係合突起部と嵌合い接合する、２段以上の係合リブを有してなることを特徴とする雨樋集水器であるので、竪樋との接続のために設けられる連結リングとの接続が、風雨によって受ける衝撃や樋部への積雪などの重量により、容易に外れない雨樋集水器を提供できる。
【図面の簡単な説明】
【図１】本発明の雨樋集水器の一例を示す斜視図。
【図２】本発明雨樋集水器の要部拡大断面図。
【図３】図２に示す本発明雨樋集水器に連結リング嵌合い接合された要部拡大断面図。
【図４】図３に示す本発明雨樋集水器の２段目の係合リブに連結リングが嵌合い接合された要部拡大断面図。
【図５】従来の雨樋集水器の要部拡大断面図。
【図６】従来の雨樋集水器に連結リングが嵌合い接合された要部拡大断面図。
【図７】従来の雨樋集水器から連結リングが積雪の重量により嵌合い接合がはずれつつある施工状態を示す図。
【符号の説明】
１  雨樋集水器
１１  雨樋受口
１２  本体
１２ａ  係合リブ
１２ｂ  排水筒
１３  連結リング
１３ａ  係合突起部
２  雨樋
３  竪樋
【図１】
2005002649.tif 000003
【図２】
2005002649.tif 000004
【図３】
2005002649.tif 000005
【図４】
2005002649.tif 000006
【図５】
2005002649.tif 000007
【図６】
2005002649.tif 000008
【図７】
2005002649.tif 000009